(57)【要約】      （修正有）【課題】地域ごとに専用の形状を有する単管バリケード本体の異なる目的への共用化を図ることができ、保管のためのコストを低減することができる単管バリケード用管端保護具を提供する。【解決手段】単管バリケード用管端保護具は、正面がシール貼付面に形成されたシール貼付板部材と、シール貼付板部材の外周縁を取り囲む周縁部と、シール貼付板部材の背面の中心部に設けられてなる柱状のボス部とを備えてなる。シールを貼り付けるための平坦な領域が設けられてなる単管の管端に取り付ける管端保護具を提供することによって、地域のキャラクターデザイン等が付されたシールを貼り替えるだけで他の地域でも転用を可能とした。これにより、単管バリケード本体は共通の形状のものを利用することができ、管理コストの低減を図ることができる。【選択図】図１
0003204081.tif 000002
【実用新案登録請求の範囲】
【請求項１】
正面がシール貼付面に形成されたシール貼付板部材と、
前記シール貼付板部材の外周縁を取り囲む周縁部と、
前記シール貼付板部材の背面の中心部に設けられてなる柱状のボス部とを備えてなる
ことを特徴とする単管バリケード用管端保護具。
【請求項２】
上下に二本の単管を保持してなる単管バリケード本体に用いられる単管バリケード用管端保護具であって、
前記シール貼付板部材が、単管バリケード本体の中央部分を露出できる大きさに形成されてなる
ことを特徴とする請求項１に記載の単管バリケード用管端保護具。
【考案の詳細な説明】
【技術分野】
【０００１】
本考案は、工事現場やイベント会場などにおいて立ち入り禁止区域の境界を示すために用いられる単管バリケード用の単管保護具に関する。
【背景技術】
【０００２】
単管バリケードは、工事現場やイベント会場などにおいて立ち入り禁止区域の境界を示すために用いられるものである。近年、単管バリケードの本体部をその地域にまつわる動物やキャラクターの形状に形成することによって、立ち入り禁止区域が通行人に与える圧迫感を伴う印象を和らげる効果を付加していた。
【先行技術文献】
【特許文献】
【０００３】
【特許文献１】実用新案登録第３１９０８０５号公報
【考案の概要】
【考案が解決しようとする課題】
【０００４】
しかし、動物やキャラクターの形状に形成された単管バリケード本体は、その形状に関係する地域以外では使用できない場合があった。そのため、単管バリケードを提供する企業などは、地域ごとに専用の形状を有する単管バリケード本体をそろえる必要が生じ、管理コストの上昇が問題となっていた。
【課題を解決するための手段】
【０００５】
そこで、上記課題を解決するための手段として本考案に係る単管バリケード用管端保護具は、シール貼付面に形成されたシール貼付板部材と、前記シール貼付板部材の外周縁を取り囲む周縁部と、前記シール貼付板部材の背面に設けられてなる柱状のボス部とを備えてなることを特徴とする。シール貼付面は、平坦面がシール貼付け作業上好ましいが、中央が膨出した曲面でも良い。
【０００６】
また、上下に二本の単管を保持してなる単管バリケード本体に用いられる単管バリケード用管端保護具であって、前記シール貼付板部材が、単管バリケード本体の中央部分を露出できる大きさに形成されてなることを特徴とする単管バリケード用管端保護具であっても好ましい。
【０００７】
シール貼付板部材が、単管バリケード本体の中央部分を露出できる大きさに形成されてなることによって、特に、単管バリケード本体のうち、管端と平行面となる正面中央部分に付される警告表示を隠さずに単管バリケード用管端保護具を取り付けることができる。これにより、シール貼付板部材の全面にイラストを付したシールを付して、立ち入り禁止区域が通行人に与える圧迫感を伴う印象を最大限和らげる効果を発揮できるとともに、前記警告表示の機能を損なうこともない。
【０００８】
本考案に係る単管バリケード用管端保護具は、合成樹脂で成形されてなり、特にブロー成形法によって成形されてなることが好ましい。ブロー成形によれば内部構造を空洞化させることができるため、軽量化及び原料コストの低減を図ることができるからである。また射出成型や圧縮成型や、ハンドレイアップ法など他の成型方法によって成形することもでき、原料にはエンジニアリングプラスチックを用いることもできる。
【０００９】
シール貼付板部材の正面はシールを貼り付けるための貼付け面であり、当該貼付け面にイラストを付したシールを平滑に貼り付けることができる。
【００１０】
シール貼付板部材の正面の周縁形状は、種々の形状を採用することができる。
【００１１】
背面に設けられてなるボス部は、単管の開口された管端部に挿着するため、円柱状に形成されてなることが好ましい。
【考案の効果】
【００１２】
道路工事やイベント等の保安用品として使用する際、正面側の前記シール貼付面にイメージキャラクター等を印刷したシール、或いは広告用シール等を貼ることができる。
【００１３】
別の道路工事やイベントで使用する際には、シール貼付面のシールを貼りかえるだけで再利用が可能となる。このため、バリケード本体の異なる目的への共用化を図ることができ、保管のためのコストを低減することができる。
【００１４】
単管バリケード本体の中央部分に付された警告表示の機能を損なわずに、立ち入り禁止区域が通行人に与える圧迫感を伴う印象を最大限和らげる効果を発揮することができる。
【図面の簡単な説明】
【００１５】
【図１】単管バリケード用管端保護具１の使用状態を示す斜視図である。
【図２】単管バリケード用管端保護具１の正面図である。
【図３】単管バリケード用管端保護具１の背面図である。
【図４】単管バリケード用管端保護具１のＡ−Ａ断面図である。
【図５】単管バリケード用管端保護具１の前方斜視図である。
【図６】単管バリケード用管端保護具１の後方斜視図である。
【図７】単管バリケード用管端保護具１を単管４に取り付けた状態を示す縦断面図である。
【考案を実施するための形態】
【００１６】
以下、本考案に係る実施の形態を、図を参照しながら詳しく説明する。
【００１７】
図１は、単管バリケード用管端保護具１の使用状態を示す斜視図である。図１には、単管４を挟持するためのクリップ３が設けられてなる単管バリケード本体２，２が互いに向かい合って２体立設されてなる。単管４は、単管バリケード本体２，２の間を橋渡された状態でクリップ３に挟持されることによって固定されてなる。
【００１８】
単管バリケード用管端保護具１は、単管４の管端５に固定されてなる。単管バリケード用管端保護具１は鋭利な管端５が露出することを防止して、通行人が管端５に接触して怪我をするなどの事故が発生することを予防することができる。
【００１９】
また、単管バリケード本体の中央部分１７であって、管端５と平行となる正面部分には警告表示１８が付されてなる。
【００２０】
単管バリケード用管端保護具１は、正面が平坦面に形成されてなるシール貼付面６を構成するシール貼付板部材７と、シール貼付板部材７の外周縁を取り囲んでシール貼付面６よりも正面方向に盛り上がって形成されてなる周縁部８と、シール貼付板部材７の背面９の中心部に設けられてなる柱状のボス部１０とを備えてなる。
【００２１】
単管バリケード用管端保護具１には、図１に示すように、イラスト等が付されたシール１１を貼り付けることができる。
【００２２】
シール貼付面６は、図２及び図５に示すように、下端縁１２の一部が直線で、且つ前記直線と上方に向かって滑らかに連続する円弧状縁１３からなる形状であることが好ましい。下端縁１２の一部が直線に形成されてなることで、シール１１の上下方向を容易に一致させることができる。また、前記直線と上方に向かって滑らかに連続する円弧状縁からなる形状であることで、シール１１に付されるイラストのデザインが変更される際にもシール貼付面６の全体を有効に活用しやすい利点がある。
【００２３】
また、周縁部８に沿ってシール１１をシール貼付面６に貼り付けることで、シール１１とシール貼付面６の位置中心を容易に一致させることができる。
【００２４】
上側の単管４の管端５は、単管バリケード本体の中央部分１７に近接する傾向にあるため、ボス部１０が背面９の中央に配置されれば、前記管端５から張り出したシール貼付板部材７が警告表示１８を覆い隠す恐れが高くなる。そうすると、シール貼付板部材７は警告表示１８を覆い隠さない程度に小さく形成する必要があり、シール貼付面６も小さくなるので、貼り付けられたシール１１の訴求効果が低下する。
【００２５】
そこで、本実施の形態において背面９に設けられてなるボス部１０は、図７に示すように、管端５に挿し入れられることによって単管バリケード用管端保護具１を単管４に挿着して固定するために用いられる。本実施の形態において、図３及び図６に示すように、ボス部１０は背面９の中心から下側に偏心した位置に配置されている。これにより、ボス部１０からシール貼付板部７の下端までの距離を短くすることができるため、シール貼付板部７のシール貼付面６の面積を大きく形成しても、図１に示すように、管端５に取り付けられた単管バリケード用管端保護具１が警告表示１８を覆い隠すことを防止することができる。
【００２６】
ボス部１０は円柱状に形成されてなり、ボス部１０と背面９との接合部分において、ボス部１０の強度を補強するためのフランジ部１４がボス部１０の周面に沿って一体で成形されてなる。さらに、ボス部１０の周縁部を周方向に均等３分割した３カ所にスリット溝１５が形成されてなる。ボス部１０を管端５に挿入する際に、スリット溝１５がボス部１０の周方向外方に対する弾性作用を有しつつ圧縮されることで、単管バリケード用管端保護具１が単管４に固定された際には、ボス部１０が圧入状態で単管４の内部に挿し入れられ、単管バリケード用管端保護具１の抜け落ちを防止することができる。また、ボス部１０の形状は先端側が緩斜面を繰り返した面で基端側が急斜面となるタケノコ状にしてもよく、このようにすることにより管端からの抜け止め効果を発揮することができる。
【００２７】
本実施の形態においては、単管バリケード用管端保護具１は、樹脂素材のブロー成形によって成形されてなるため、図４に示すように、単管バリケード用管端保護具１の内部には空洞１６が形成されてなるため、重量を軽くすることができる。これにより、多数の単管バリケード用管端保護具１を運搬する際にも労力を軽減することができる。なお、ブロー成形によらず射出成型や他の成型方法によって作製することもできる。また、本実施の形態では平坦面を平面に形成しているが、中央部が盛り上がった曲面としてもよい。さらにこの平坦面には、ＬＥＤ照明器具を取り付けても良い。
【符号の説明】
【００２８】
１  単管バリケード用管端保護具
２  単管バリケード本体
３  クリップ
４  単管
５  管端
６  シール貼付面６
７  シール貼付板部材
８  周縁部
９  背面
１０  ボス部
１１  シール
１７  単管バリケード本体の中央部分
１８  警告表示
【図１】
0003204081.tif 000003
【図２】
0003204081.tif 000004
【図３】
0003204081.tif 000005
【図４】
0003204081.tif 000006
【図５】
0003204081.tif 000007
【図６】
0003204081.tif 000008
【図７】
0003204081.tif 000009